(57)【要約】      （修正有）【課題】基地局およびユーザ端末が、適切なハンドオーバーのタイミングを得、ユーザのスループットを向上させることができる方法を提供する。【解決手段】サービング基地局は、ハンドオーバー測定報告の報告条件とハンドオーバー条件とをユーザ端末へ送信し、ここで、ハンドオーバー測定報告の報告条件が、少なくともサービング基地局の複数のキャリアの性能に相関し（１０１）、ユーザ端末は、測定設定に基づいて、サービングセルおよび隣接セルに対して測定し、ハンドオーバー測定報告の報告条件を満たす場合、ハンドオーバー測定報告をサービング基地局へ報告し（１０２）、サービング基地局は、ハンドオーバー測定報告およびハンドオーバー条件に基づいて、該ユーザ端末がハンドオーバーを行う必要があるかどうかを判定し、必要があると判定した場合、ターゲット基地局を選択して、ハンドオーバー実行過程を行う（１０３）、ことを含む。【選択図】図１
2011254466.tif 000002
【特許請求の範囲】
【請求項１】
ハンドオーバー方法であって、
サービング基地局は、ハンドオーバー測定報告の報告条件とハンドオーバー条件とを設定して、設定されたハンドオーバー測定報告の報告条件を、測定設定によりユーザ端末へ送信し、ここで、サービング基地局で設定されたハンドオーバー測定報告の報告条件および／またはハンドオーバー条件が、少なくともサービング基地局の複数のキャリアの性能に相関し、
ユーザ端末は、測定設定に基づいて、サービングセルおよび隣接セルに対して測定し、ハンドオーバー測定報告の報告条件を満たす場合、ハンドオーバー測定報告をサービング基地局へ報告し、
サービング基地局は、受信されたハンドオーバー測定報告および設定されたハンドオーバー条件に基づいて、該ユーザ端末がハンドオーバーを行う必要があるかどうかを判定し、該ユーザ端末がハンドオーバーを行う必要があると判定した場合、ターゲット基地局を選択して、ハンドオーバー実行過程を行う、
ことを含むことを特徴とするハンドオーバー方法。
【請求項２】
ハンドオーバー測定報告の報告条件とハンドオーバー条件とを設定することは、サービング基地局が、自局のプライマリキャリア（ＰＣＣ）と他のキャリア（ＣＣ）との信号強度の差と、ハンドオーバー測定報告の報告条件およびハンドオーバー条件におけるハンドオーバー閾値との対応関係を設定し、ここで、サービング基地局のＰＣＣと他のＣＣとの信号強度の差が小さければ小さいほど、厳しいハンドオーバー条件におけるハンドオーバー閾値に対応し、サービング基地局のＰＣＣと他のＣＣとの信号強度の差が大きければ大きいほど、甘いハンドオーバー条件におけるハンドオーバー閾値に対応する、ことを含み、
設定されたハンドオーバー測定報告の報告条件を、測定設定によりユーザ端末へ送信することは、サービング基地局が、設定された自局のＰＣＣと他のＣＣとの信号強度の差と、ハンドオーバー測定報告の報告条件におけるハンドオーバー閾値との対応関係を、測定設定によりユーザ端末へ送信する、ことを含む、
ことを特徴とする請求項１に記載のハンドオーバー方法。
【請求項３】
ハンドオーバー測定報告の報告条件とハンドオーバー条件とを設定することは、サービング基地局が、自局のプライマリキャリア（ＰＣＣ）と他のキャリア（ＣＣ）との信号強度の差と、ハンドオーバー測定報告の報告条件およびハンドオーバー条件におけるハンドオーバー閾値との対応関係を設定し、ここで、サービング基地局のＰＣＣと他のＣＣとの信号強度の差が小さければ小さいほど、厳しいハンドオーバー条件におけるハンドオーバー閾値に対応し、サービング基地局のＰＣＣと他のＣＣとの信号強度の差が大きければ大きいほど、甘いハンドオーバー条件におけるハンドオーバー閾値に対応し、サービング基地局が、設定された対応関係および現在の自局のＰＣＣと他のＣＣとの信号強度の差に基づいて、ハンドオーバー測定報告の報告条件およびハンドオーバー条件におけるハンドオーバー閾値を決定する、ことを含み、
設定されたハンドオーバー測定報告の報告条件を、測定設定によりユーザ端末へ送信することは、サービング基地局が、決定されたハンドオーバー閾値を、測定設定によりユーザ端末へ送信する、ことを含む、
ことを特徴とする請求項１に記載のハンドオーバー方法。
【請求項４】
サービング基地局が、ＰＣＣ以外に１つより多い他のＣＣを有する場合、サービング基地局のＰＣＣと他のＣＣとの信号強度の差は、サービング基地局のＰＣＣと全ての他のＣＣとの信号強度の差の平均値、または、サービング基地局のＰＣＣと全ての他のＣＣとの信号強度の分散である、
ことを特徴とする請求項２または請求項３に記載のハンドオーバー方法。
【請求項５】
ユーザ端末がキャリアアグリゲーション可能なキャリア（ＣＣ）を知ることができる場合、サービング基地局がハンドオーバー測定報告の報告条件とハンドオーバー条件とを設定することは、サービング基地局が、サービング基地局と隣接基地局との等価容量または等価信号対雑音比に相関するハンドオーバー測定報告の報告条件とハンドオーバー条件とを設定する、ことを含み、ここで、等価容量は、１つの基地局の少なくとも１つのＣＣが１つのＣＣに等価される場合の該ＣＣのスループットであり、等価信号対雑音比は、１つの基地局の少なくとも１つのＣＣが１つのＣＣに等価される場合の該ＣＣの信号対雑音比である、
ことを特徴とする請求項１に記載のハンドオーバー方法。
【請求項６】
ユーザ端末がキャリアアグリゲーション可能なキャリア（ＣＣ）を知ることができない場合、サービング基地局がハンドオーバー測定報告の報告条件とハンドオーバー条件とを設定することは、サービング基地局が、ユーザ端末がある測定対象のハンドオーバー測定報告を報告するとともに、他の測定対象における信号強度パラメータが最良となるＮ個のＣＣの信号強度パラメータを報告するように設定し、サービング基地局と隣接基地局との等価容量または等価信号対雑音比に相関するハンドオーバー条件を設定する、ことを含み、ここで、Ｎは、１より大きい自然数であり、等価容量は、１つの基地局の少なくとも１つのＣＣが１つのＣＣに等価される場合の該ＣＣのスループットであり、等価信号対雑音比は、１つの基地局の少なくとも１つのＣＣが１つのＣＣに等価される場合の該ＣＣの信号対雑音比である、
ことを特徴とする請求項１に記載のハンドオーバー方法。
【請求項７】
前記サービング基地局が、サービング基地局と隣接基地局との等価容量または等価信号対雑音比に相関するハンドオーバー測定報告の報告条件とハンドオーバー条件とを設定することは、
サービング基地局が、自局の等価容量とターゲット基地局の等価容量との差と、ハンドオーバー測定報告の報告条件およびハンドオーバー条件におけるハンドオーバー閾値との対応関係を設定し、ここで、サービング基地局の等価容量とターゲット基地局の等価容量との差が大きければ大きいほど、厳しいハンドオーバー条件におけるハンドオーバー閾値に対応し、サービング基地局の等価容量とターゲット基地局の等価容量との差が小さければ小さいほど、甘いハンドオーバー条件におけるハンドオーバー閾値に対応し、
サービング基地局が、設定された自局の等価容量とターゲット基地局の等価容量との差と、ハンドオーバー測定報告の報告条件におけるハンドオーバー閾値との対応関係を、測定設定によりユーザ端末へ送信する、
ことを含むことを特徴とする請求項５に記載のハンドオーバー方法。
【請求項８】
前記サービング基地局と隣接基地局との等価容量または等価信号対雑音比に相関するハンドオーバー条件を設定することは、
サービング基地局が、自局の等価容量とターゲット基地局の等価容量との差と、ハンドオーバー条件におけるハンドオーバー閾値との対応関係を設定し、ここで、サービング基地局の等価容量とターゲット基地局の等価容量との差が大きければ大きいほど、厳しいハンドオーバー条件におけるハンドオーバー閾値に対応し、サービング基地局の等価容量とターゲット基地局の等価容量との差が小さければ小さいほど、甘いハンドオーバー条件におけるハンドオーバー閾値に対応し、
サービング基地局が、ユーザ端末から報告された、各測定対象における信号強度パラメータが最良となるＮ個のＣＣの信号強度パラメータに基づいて、自局の等価容量と各隣接基地局の等価容量との差を計算し、
前記差、および、自局の等価容量とターゲット基地局の等価容量との差と、ハンドオーバー条件におけるハンドオーバー閾値との対応関係に基づいて、ハンドオーバー条件におけるハンドオーバー閾値を決定する、
ことを含むことを特徴とする請求項６に記載のハンドオーバー方法。
【請求項９】
等価信号対雑音比または等価容量を計算する際に、異なるＣＣに対して、異なる重み付け値を設定する、
ことをさらに含むことを特徴とする請求項５〜８のいずれか１項に記載のハンドオーバー方法。
【請求項１０】
異なるＣＣの帯域幅が異なる場合、各ＣＣの帯域幅を該ＣＣの１つの重み付け値とする、
ことをさらに含むことを特徴とする請求項９に記載のハンドオーバー方法。
【請求項１１】
各基地局ごとに少なくとも２つの周波数帯域を有し、かつ、各周波数帯域がいずれも少なくとも１つのＣＣを有する場合、基地局の少なくとも２つの周波数帯域の各周波数帯域から、それぞれ１つのＣＣを選択して前記複数のキャリアとする、
ことをさらに含むことを特徴とする請求項１〜３および請求項５〜８のいずれか１項に記載のハンドオーバー方法。
【請求項１２】
基地局であって、
ハンドオーバー測定報告の報告条件とハンドオーバー条件とを設定する測定設定モジュールと、
設定されたハンドオーバー測定報告の報告条件を、測定設定によりユーザ端末へ送信する送信モジュールと、
ユーザ端末からのハンドオーバー測定報告を受信する受信モジュールと、
受信されたハンドオーバー測定報告および設定されたハンドオーバー条件に基づいて、該ユーザ端末がハンドオーバーを行う必要があるかどうかを判定し、該ユーザ端末がハンドオーバーを行う必要があると判定した場合、ターゲット基地局を選択するハンドオーバー判定モジュールと、を含み、
ここで、設定されたハンドオーバー測定報告の報告条件および／またはハンドオーバー条件が、少なくともサービング基地局の複数のキャリアの性能に相関する、
ことを特徴とする基地局。
【請求項１３】
測定設定モジュールは、
サービング基地局のＰＣＣと他のＣＣとの信号強度の差と、ハンドオーバー閾値との対応関係を設定するハンドオーバー閾値設定サブモジュールと、
サービング基地局のＰＣＣと他のＣＣとの信号強度の差と、ハンドオーバー閾値との対応関係に基づいて、ハンドオーバー測定報告の報告条件とハンドオーバー条件とを設定する測定設定サブモジュールと、を含み、
ここで、サービング基地局のＰＣＣと他のＣＣとの信号強度の差が小さければ小さいほど、厳しいハンドオーバー条件におけるハンドオーバー閾値に対応し、サービング基地局のＰＣＣと他のＣＣとの信号強度の差が大きければ大きいほど、甘いハンドオーバー条件におけるハンドオーバー閾値に対応する、
ことを特徴とする請求項１２に記載の基地局。
【請求項１４】
測定設定モジュールは、
サービング基地局のＰＣＣと他のＣＣとの信号強度の差と、ハンドオーバー閾値との対応関係を設定するハンドオーバー閾値設定サブモジュールと、
現在の自局のＰＣＣと他のＣＣとの信号強度の差に基づいて、ハンドオーバー測定報告の報告条件におけるハンドオーバー閾値を決定するハンドオーバー閾値決定サブモジュールと、
決定されたハンドオーバー閾値に基づいて、ハンドオーバー測定報告の報告条件を設定する測定設定サブモジュールと、を含み、
ここで、サービング基地局のＰＣＣと他のＣＣとの信号強度の差が小さければ小さいほど、厳しいハンドオーバー条件におけるハンドオーバー閾値に対応し、サービング基地局のＰＣＣと他のＣＣとの信号強度の差が大きければ大きいほど、甘いハンドオーバー条件におけるハンドオーバー閾値に対応する、
ことを特徴とする請求項１２に記載の基地局。
【請求項１５】
測定設定モジュールは、
サービング基地局と隣接基地局との等価容量または等価信号対雑音比に相関するハンドオーバー条件を設定するハンドオーバー条件設定サブモジュールと、
ユーザ端末がキャリアアグリゲーション可能なＣＣを知ることができる場合、サービング基地局と隣接基地局との等価容量または等価信号対雑音比に相関するハンドオーバー測定報告の報告条件を設定する一方、ユーザ端末がキャリアアグリゲーション可能なＣＣを知ることができない場合、従来のトリガーイベントをハンドオーバー測定報告の報告条件として設定して、ユーザ端末に対し、報告されるハンドオーバー測定報告には、各測定対象における信号強度パラメータが最良となるＮ個のＣＣの信号強度パラメータを付けて報告するよう指示する測定設定サブモジュールと、
を含むことを特徴とする請求項１２に記載の基地局。
【請求項１６】
測定設定モジュールは、
サービング基地局の等価容量とターゲット基地局の等価容量との差と、ハンドオーバー閾値との対応関係を設定するハンドオーバー閾値設定サブモジュールと、
ユーザ端末がキャリアアグリゲーション可能なＣＣを知ることができる場合、サービング基地局の等価容量と隣接基地局の等価容量との差と、ハンドオーバー閾値との対応関係に基づいて、ハンドオーバー測定報告の報告条件とハンドオーバー条件とを設定する一方、ユーザ端末がキャリアアグリゲーション可能なＣＣを知ることができない場合、従来のトリガーイベントをハンドオーバー測定報告の報告条件として設定して、ユーザ端末に対し、報告されるハンドオーバー測定報告には、各測定対象における信号強度パラメータが最良となるＮ個のＣＣの信号強度パラメータを付けて報告するよう指示する測定設定サブモジュールと、を含み、
ここで、サービング基地局の等価容量とターゲット基地局の等価容量との差が大きければ大きいほど、厳しいハンドオーバー条件におけるハンドオーバー閾値に対応し、サービング基地局の等価容量とターゲット基地局の等価容量との差が小さければ小さいほど、甘いハンドオーバー条件におけるハンドオーバー閾値に対応する、
ことを特徴とする請求項１２に記載の基地局。
【請求項１７】
移動端末であって、
サービング基地局から送信された、少なくともサービング基地局の複数のキャリアの性能に相関する測定設定を受信して、サービング基地局と隣接基地局との信号強度パラメータを検出する受信モジュールと、
サービング基地局から送信された測定設定に基づいて、ハンドオーバー測定報告の報告条件を決定する報告条件決定モジュールと、
受信モジュールで検出されたサービング基地局と隣接基地局との信号強度パラメータに基づいて、ハンドオーバー測定報告の報告条件を満たす隣接セルがあるかどうかを判定する測定トリガー判定モジュールと、
ハンドオーバー測定報告の報告条件を満たす隣接セルがある場合、ハンドオーバー測定報告をサービング基地局へ報告する送信モジュールと、
を含むことを特徴とする移動端末。
【発明の詳細な説明】
【技術分野】
【０００１】
本発明は、移動通信技術に関し、特に、ユーザが接続モードで１つのセルから別のセルに移動する場合のハンドオーバー方法、並びにハンドオーバーに参加する移動端末および基地局に関する。
【背景技術】
【０００２】
セルラー携帯電話は人々の通信に極大な便利をもたらし、第２世代グローバル移動通信システム（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）はデジタル通信技術を採用して、移動通信の通話品質をさらに向上させる。第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）は移動通信分野の重要な組織として、第３世代移動通信技術（３Ｇ：Ｔｈｅ  Ｔｈｉｒｄ  Ｇｅｎｅｒａｔｉｏｎ）の標準化の進展を大幅に促進し、広帯域符号分割多元接続（ＷＣＤＭＡ：Ｗｉｄｅ  Ｃｏｄｅ  Ｄｉｖｉｓｉｏｎ  Ｍｕｌｔｉｐｌｅ  Ａｃｃｅｓｓ）、高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）、高速アップリンクパケットアクセス（ＨＳＵＰＡ：Ｈｉｇｈ  Ｓｐｅｅｄ  Ｕｐｌｉｎｋ  Ｐａｃｋｅｔ  Ａｃｃｅｓｓ）などを含む一連の通信システム規格を制定した。
【０００３】
広帯域アクセス技術の挑戦に対処し、かつ、増加しつつある新たなサービスの需要を満たすために、３ＧＰＰは２００４年末から３Ｇ長期的な進化（ＬＴＥ：Ｌｏｎｇ  Ｔｅｒｍ  Ｅｖｏｌｕｔｉｏｎ）技術の標準化作業を開始したことで、スペクトル効率をさらに向上させ、セル端ユーザの性能を改善し、システム遅延を低下させ、高速移動ユーザに更なる高速のアクセスサービスを提供することなどを図る。改善されたＬＴＥ（ＬＴＥ−Ａ：ＬＴＥ−Ａｄｖａｎｃｅｄ）技術はさらにＬＴＥを基に、スペクトル帯域幅を数倍増加させ、データレートを倍的に向上させ、もっと多くの移動ユーザに、更なる高速であって性能がさらに優れたサービスを提供する。
【０００４】
上記の各種類の移動通信システムでは、接続状態（ＣＯＮＮＥＣＴＥＤ）におけるユーザの移動性に対する管理が特に重要である。接続状態におけるユーザの移動性に対する管理を実現するために、移動通信システムにおいて、ハンドオーバーの概念が定義され、接続状態にあるユーザが一定の条件を満たす場合、現在のサービングセルから他のセルにハンドオーバーすることが許可される。ハンドオーバーがなければ、ユーザがサービングセルを出ると、コールドロップ後に新たなセルに再アクセスする場合があるため、ユーザのサービス満足度に大きな影響を与えてしまう。
【０００５】
一般的に、ハンドオーバーは主に、ハンドオーバー測定、ハンドオーバー判定、ハンドオーバー実行の３つのステップを含む。ここで、ハンドオーバー測定とは、ユーザが該ユーザのサービングセルと隣接セルとの基準信号受信電力（ＲＳＲＰ：Ｒｅｆｅｒｅｎｃｅ  Ｓｉｇｎａｌ  Ｒｅｃｅｉｖｅｄ  Ｐｏｗｅｒ）、または基準信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）、あるいはセル信号強度を表示できる他の信号強度パラメータを測定し、測定設定により設定されたハンドオーバー測定報告の報告条件を満たす場合、ハンドオーバー測定報告をサービング基地局へ報告する、ことを指す。ハンドオーバー判定とは、サービング基地局がハンドオーバー測定報告に基づいて、該ユーザがハンドオーバーを行う必要があるかどうかを判定して、ターゲット基地局を選択する、ことを指す。ハンドオーバー実行とは主に、ユーザがサービング基地局との接続を切断して、ターゲット基地局との接続を確立する過程を指す。ここから分かるように、上記のハンドオーバー過程において、ハンドオーバー測定報告の報告条件、および、ハンドオーバーを行うかどうかを判定するためのハンドオーバー条件は、性能が最適なターゲット基地局を選択できるかどうかに係る。従って、ハンドオーバー測定報告の報告条件とハンドオーバー条件との設定は、とても重要である。
【０００６】
ＬＴＥ−Ａ導入前の無線通信システムは、全部シングルキャリアシステムであり、即ち、各基地局（ｅＮＢ）ごとに１つだけのキャリア（ＣＣ：Ｃｏｍｐｏｎｅｎｔ  Ｃａｒｒｉｅｒ）を有する。つまり、１つのユーザは、１つのｅＮＢで１つだけのサービングセル（Ｓｅｒｖｉｎｇ  Ｃｅｌｌ）を有する。従って、ハンドオーバー測定報告の報告条件を満たすかどうか、およびハンドオーバー条件を満たすかどうかを判定する際に、測定して得られたすべての隣接セルの信号強度パラメータと、該ユーザの唯一のサービングセルの信号強度パラメータ（例えば、ＲＳＲＰまたはＲＳＲＱ）とを比較するだけでよい。例えば、サービングセルからユーザへ送信された測定設定は、ハンドオーバー測定報告の報告をトリガーするイベントがＥｖｅｎｔ  Ａ３である、ことを示す場合、ユーザは、ある隣接セルのＲＳＲＰまたはＲＳＲＱと、サービングセルのＲＳＲＰまたはＲＳＲＱとの差が、サービングセルで設定されたハンドオーバーオフセットＨＯ＿ｍａｒｇｉｎ（一般的に３ｄＢに設定する）より大きい、と測定した場合、サービングセルと該隣接セルとの信号強度パラメータが付けられるハンドオーバー測定報告を、サービング基地局へ報告する。この後、サービング基地局は、ユーザから報告されたハンドオーバー測定報告に付けられたサービングセルと該隣接セルとの信号強度パラメータに基づいて、ハンドオーバー判定を行う。ハンドオーバー判定の結果、ハンドオーバーを行う必要があるとき、さらに、ハンドオーバー実行過程を完成する。
【発明の概要】
【発明が解決しようとする課題】
【０００７】
しかしながら、ＬＴＥ−Ａマルチキャリアシステムにおいて、各ｅＮＢは、いずれも少なくとも２つのＣＣを有する。現在、ＬＴＥ−Ａシステムでは、複数の設定シーンが既に決定されている。その中に、下記のような設定シーンが存在している。即ち、各ｅＮＢは少なくとも２つのキャリアを有し、かつ、この２つのキャリアのアンテナは、位置が同じであるが方向が違う。説明の便宜上、サービング基地局および隣接基地局が、いずれも２つのキャリア周波数Ｆ１およびＦ２を使用すると仮定する。サービング基地局の２つのキャリアがＣＣ１およびＣＣ２と呼ばれ、隣接基地局の２つのキャリアがＣＣ３およびＣＣ４と呼ばれ、ここで、サービング基地局の２つのキャリアＣＣ１およびＣＣ２に対応するキャリアのアンテナは、位置が同じであるが方向が違い、隣接基地局の２つのキャリアＣＣ３およびＣＣ４に対応するキャリアのアンテナは、位置が同じであるが方向が違う。この場合、下記の状況がセル端に現れる可能性が大きい。即ち、隣接基地局のＣＣ３の信号強度パラメータ（例えばＲＳＲＰまたはＲＳＲＱ）は、サービング基地局のＣＣ１の信号強度パラメータより良いが、隣接基地局のＣＣ４の信号強度パラメータは、サービング基地局のＣＣ２の信号強度パラメータより悪い。この状況で、ハンドオーバー測定報告の報告条件およびハンドオーバー条件を如何に設定するかは、ＬＴＥ−Ａマルチキャリアシステムで解決すべき課題の１つである。
【課題を解決するための手段】
【０００８】
本発明は、ＬＴＥ−Ａマルチキャリアシステムにおけるユーザのハンドオーバーを実現するとともに、適切なハンドオーバー測定報告の報告条件とハンドオーバー条件とを設定することにより、ハンドオーバーのタイミングをさらに適合させ、ユーザのスループットを向上させるハンドオーバー方法、基地局およびユーザ端末を提供している。
【０００９】
本発明の実施例で提供されるハンドオーバー方法において、サービング基地局は、ハンドオーバー測定報告の報告条件とハンドオーバー条件とを設定して、設定されたハンドオーバー測定報告の報告条件を、測定設定によりユーザ端末へ送信し、ここで、サービング基地局で設定されたハンドオーバー測定報告の報告条件および／またはハンドオーバー条件が、少なくともサービング基地局の複数のキャリアの性能に相関し、ユーザ端末は、測定設定に基づいて、サービングセルおよび隣接セルに対して測定し、ハンドオーバー測定報告の報告条件を満たす場合、ハンドオーバー測定報告をサービング基地局へ報告し、サービング基地局は、受信されたハンドオーバー測定報告および設定されたハンドオーバー条件に基づいて、該ユーザ端末がハンドオーバーを行う必要があるかどうかを判定し、該ユーザ端末がハンドオーバーを行う必要があると判定した場合、ターゲット基地局を選択して、ハンドオーバー実行過程を行う、ことを含む。
【００１０】
ハンドオーバー測定報告の報告条件とハンドオーバー条件とを設定することは、サービング基地局が、自局のプライマリキャリア（ＰＣＣ）と他のキャリア（ＣＣ）との信号強度の差と、ハンドオーバー測定報告の報告条件およびハンドオーバー条件におけるハンドオーバー閾値との対応関係を設定し、ここで、サービング基地局のＰＣＣと他のＣＣとの信号強度の差が小さければ小さいほど、厳しいハンドオーバー条件におけるハンドオーバー閾値に対応し、サービング基地局のＰＣＣと他のＣＣとの信号強度の差が大きければ大きいほど、甘いハンドオーバー条件におけるハンドオーバー閾値に対応する、ことを含み、設定されたハンドオーバー測定報告の報告条件を、測定設定によりユーザ端末へ送信することは、サービング基地局が、設定された自局のＰＣＣと他のＣＣとの信号強度の差と、ハンドオーバー測定報告の報告条件におけるハンドオーバー閾値との対応関係を、測定設定によりユーザ端末へ送信する、ことを含む。
【００１１】
ハンドオーバー測定報告の報告条件とハンドオーバー条件とを設定することは、サービング基地局が、自局のプライマリキャリア（ＰＣＣ）と他のキャリア（ＣＣ）との信号強度の差と、ハンドオーバー測定報告の報告条件およびハンドオーバー条件におけるハンドオーバー閾値との対応関係を設定し、ここで、サービング基地局のＰＣＣと他のＣＣとの信号強度の差が小さければ小さいほど、厳しいハンドオーバー条件におけるハンドオーバー閾値に対応し、サービング基地局のＰＣＣと他のＣＣとの信号強度の差が大きければ大きいほど、甘いハンドオーバー条件におけるハンドオーバー閾値に対応し、サービング基地局が、設定された対応関係および現在の自局のＰＣＣと他のＣＣとの信号強度の差に基づいて、ハンドオーバー測定報告の報告条件およびハンドオーバー条件におけるハンドオーバー閾値を決定する、ことを含み、設定されたハンドオーバー測定報告の報告条件を、測定設定によりユーザ端末へ送信することは、サービング基地局が、決定されたハンドオーバー閾値を、測定設定によりユーザ端末へ送信する、ことを含む。
【００１２】
サービング基地局が、ＰＣＣ以外に１つより多い他のＣＣを有する場合、サービング基地局のＰＣＣと他のＣＣとの信号強度の差は、サービング基地局のＰＣＣと全ての他のＣＣとの信号強度の差の平均値、または、サービング基地局のＰＣＣと全ての他のＣＣとの信号強度の分散である。
【００１３】
ユーザ端末がキャリアアグリゲーション可能なＣＣを知ることができる場合、サービング基地局がハンドオーバー測定報告の報告条件とハンドオーバー条件とを設定することは、サービング基地局が、サービング基地局と隣接基地局との等価容量または等価信号対雑音比に相関するハンドオーバー測定報告の報告条件とハンドオーバー条件とを設定する、ことを含み、ここで、等価容量は、１つの基地局の少なくとも１つのＣＣが１つのＣＣに等価される場合の該ＣＣのスループットであり、等価信号対雑音比は、１つの基地局の少なくとも１つのＣＣが１つのＣＣに等価される場合の該ＣＣの信号対雑音比である。
【００１４】
ユーザ端末がキャリアアグリゲーション可能なＣＣを知ることができない場合、サービング基地局がハンドオーバー測定報告の報告条件とハンドオーバー条件とを設定することは、サービング基地局が、ユーザ端末がある測定対象のハンドオーバー測定報告を報告するとともに、他の測定対象における信号強度パラメータが最良となるＮ個のＣＣの信号強度パラメータを報告するように設定し、サービング基地局と隣接基地局との等価容量または等価信号対雑音比に相関するハンドオーバー条件を設定する、ことを含み、ここで、Ｎは、１より大きい自然数であり、等価容量は、１つの基地局の少なくとも１つのＣＣが１つのＣＣに等価される場合の該ＣＣのスループットであり、等価信号対雑音比は、１つの基地局の少なくとも１つのＣＣが１つのＣＣに等価される場合の該ＣＣの信号対雑音比である。
【００１５】
具体的に、サービング基地局が、サービング基地局と隣接基地局との等価容量または等価信号対雑音比に相関するハンドオーバー測定報告の報告条件とハンドオーバー条件とを設定することは、サービング基地局が、自局の等価容量とターゲット基地局の等価容量との差と、ハンドオーバー測定報告の報告条件およびハンドオーバー条件におけるハンドオーバー閾値との対応関係を設定し、ここで、サービング基地局の等価容量とターゲット基地局の等価容量との差が大きければ大きいほど、厳しいハンドオーバー条件におけるハンドオーバー閾値に対応し、サービング基地局の等価容量とターゲット基地局の等価容量との差が小さければ小さいほど、甘いハンドオーバー条件におけるハンドオーバー閾値に対応し、サービング基地局が、設定された自局の等価容量とターゲット基地局の等価容量との差と、ハンドオーバー測定報告の報告条件におけるハンドオーバー閾値との対応関係を、測定設定によりユーザ端末へ送信する、ことを含む。あるいは、サービング基地局と隣接基地局との等価容量または等価信号対雑音比に相関するハンドオーバー条件を設定することは、サービング基地局が、自局の等価容量とターゲット基地局の等価容量との差と、ハンドオーバー条件におけるハンドオーバー閾値との対応関係を設定し、ここで、サービング基地局の等価容量とターゲット基地局の等価容量との差が大きければ大きいほど、厳しいハンドオーバー条件におけるハンドオーバー閾値に対応し、サービング基地局の等価容量とターゲット基地局の等価容量との差が小さければ小さいほど、甘いハンドオーバー条件におけるハンドオーバー閾値に対応し、サービング基地局が、ユーザ端末から報告された、各測定対象における信号強度パラメータが最良となるＮ個のＣＣの信号強度パラメータに基づいて、自局の等価容量と各隣接基地局の等価容量との差を計算し、前記差、および、自局の等価容量とターゲット基地局の等価容量との差と、ハンドオーバー条件におけるハンドオーバー閾値との対応関係に基づいて、ハンドオーバー条件におけるハンドオーバー閾値を決定する、ことを含む。
【００１６】
上記の方法は、等価信号対雑音比または等価容量を計算する際に、異なるＣＣに対して、異なる重み付け値を設定する、ことをさらに含む。また、異なるＣＣの帯域幅が異なる場合、上記の方法は、各ＣＣの帯域幅を該ＣＣの１つの重み付け値とする、ことをさらに含む。
【００１７】
各基地局ごとに少なくとも２つの周波数帯域を有し、かつ、各周波数帯域がいずれも少なくとも１つのＣＣを有する場合、前記の方法は、基地局の少なくとも２つの周波数帯域の各周波数帯域から、それぞれ１つのＣＣを選択して前記複数のキャリアとする、ことをさらに含む。
【００１８】
本発明の実施例で提供される基地局は、ハンドオーバー測定報告の報告条件とハンドオーバー条件とを設定する測定設定モジュールと、設定されたハンドオーバー測定報告の報告条件を、測定設定によりユーザ端末へ送信する送信モジュールと、ユーザ端末からのハンドオーバー測定報告を受信する受信モジュールと、受信されたハンドオーバー測定報告および設定されたハンドオーバー条件に基づいて、該ユーザ端末がハンドオーバーを行う必要があるかどうかを判定し、該ユーザ端末がハンドオーバーを行う必要があると判定した場合、ターゲット基地局を選択するハンドオーバー判定モジュールと、を含み、ここで、設定されたハンドオーバー測定報告の報告条件および／またはハンドオーバー条件が、少なくともサービング基地局の複数のキャリアの性能に相関する。
【００１９】
測定設定モジュールは、サービング基地局のＰＣＣと他のＣＣとの信号強度の差と、ハンドオーバー閾値との対応関係を設定するハンドオーバー閾値設定サブモジュールと、サービング基地局のＰＣＣと他のＣＣとの信号強度の差と、ハンドオーバー閾値との対応関係に基づいて、ハンドオーバー測定報告の報告条件とハンドオーバー条件とを設定する測定設定サブモジュールと、を含み、ここで、サービング基地局のＰＣＣと他のＣＣとの信号強度の差が小さければ小さいほど、厳しいハンドオーバー条件におけるハンドオーバー閾値に対応し、サービング基地局のＰＣＣと他のＣＣとの信号強度の差が大きければ大きいほど、甘いハンドオーバー条件におけるハンドオーバー閾値に対応する。
【００２０】
測定設定モジュールは、サービング基地局のＰＣＣと他のＣＣとの信号強度の差と、ハンドオーバー閾値との対応関係を設定するハンドオーバー閾値設定サブモジュールと、現在の自局のＰＣＣと他のＣＣとの信号強度の差に基づいて、ハンドオーバー測定報告の報告条件におけるハンドオーバー閾値を決定するハンドオーバー閾値決定サブモジュールと、決定されたハンドオーバー閾値に基づいて、ハンドオーバー測定報告の報告条件を設定する測定設定サブモジュールと、を含み、ここで、サービング基地局のＰＣＣと他のＣＣとの信号強度の差が小さければ小さいほど、厳しいハンドオーバー条件におけるハンドオーバー閾値に対応し、サービング基地局のＰＣＣと他のＣＣとの信号強度の差が大きければ大きいほど、甘いハンドオーバー条件におけるハンドオーバー閾値に対応する。
【００２１】
測定設定モジュールは、サービング基地局と隣接基地局との等価容量または等価信号対雑音比に相関するハンドオーバー条件を設定するハンドオーバー条件設定サブモジュールと、ユーザ端末がキャリアアグリゲーション可能なＣＣを知ることができる場合、サービング基地局と隣接基地局との等価容量または等価信号対雑音比に相関するハンドオーバー測定報告の報告条件を設定する一方、ユーザ端末がキャリアアグリゲーション可能なＣＣを知ることができない場合、従来のトリガーイベントをハンドオーバー測定報告の報告条件として設定して、ユーザ端末に対し、報告されるハンドオーバー測定報告には、各測定対象における信号強度パラメータが最良となるＮ個のＣＣの信号強度パラメータを付けて報告するよう指示する測定設定サブモジュールと、を含む。
【００２２】
測定設定モジュールは、サービング基地局の等価容量とターゲット基地局の等価容量との差と、ハンドオーバー閾値との対応関係を設定するハンドオーバー閾値設定サブモジュールと、ユーザ端末がキャリアアグリゲーション可能なＣＣを知ることができる場合、サービング基地局の等価容量と隣接基地局の等価容量との差と、ハンドオーバー閾値との対応関係に基づいて、ハンドオーバー測定報告の報告条件とハンドオーバー条件とを設定する一方、ユーザ端末がキャリアアグリゲーション可能なＣＣを知ることができない場合、従来のトリガーイベントをハンドオーバー測定報告の報告条件として設定して、ユーザ端末に対し、報告されるハンドオーバー測定報告には、各測定対象における信号強度パラメータが最良となるＮ個のＣＣの信号強度パラメータを付けて報告するよう指示する測定設定サブモジュールと、を含み、ここで、サービング基地局の等価容量とターゲット基地局の等価容量との差が大きければ大きいほど、厳しいハンドオーバー条件におけるハンドオーバー閾値に対応し、サービング基地局の等価容量とターゲット基地局の等価容量との差が小さければ小さいほど、甘いハンドオーバー条件におけるハンドオーバー閾値に対応する。
【００２３】
本発明の実施例で提供される移動端末は、サービング基地局から送信された、少なくともサービング基地局の複数のキャリアの性能に相関する測定設定を受信して、サービング基地局と隣接基地局との信号強度パラメータを検出する受信モジュールと、サービング基地局から送信された測定設定に基づいて、ハンドオーバー測定報告の報告条件を決定する報告条件決定モジュールと、受信モジュールで検出されたサービング基地局と隣接基地局との信号強度パラメータに基づいて、ハンドオーバー測定報告の報告条件を満たす隣接セルがあるかどうかを判定する測定トリガー判定モジュールと、ハンドオーバー測定報告の報告条件を満たす隣接セルがある場合、ハンドオーバー測定報告をサービング基地局へ報告する送信モジュールと、を含む。
【発明の効果】
【００２４】
本発明のハンドオーバー方法、並びに該ハンドオーバー方法を実現する基地局およびユーザ端末から見ると、本発明のハンドオーバー過程において、サービング基地局で設定されたハンドオーバー測定報告の報告条件および／またはハンドオーバー条件が、サービング基地局の複数のキャリアの性能に相関し、あるいは、さらに隣接基地局の複数のキャリアの性能に相関し、ＬＴＥ−Ａマルチキャリアシステムにおける各基地局の複数のキャリアの性能が十分に考慮される。従って、更なる適切なハンドオーバーのタイミングを得ることができる。これにより、ユーザのスループットを向上させることができる。
【図面の簡単な説明】
【００２５】
【図１】本発明で提供されるハンドオーバー方法のフローチャートである。
【図２】本発明の実施例１に係るハンドオーバー方法のフローチャートである。
【図３】従来の測定設定の構成を示す図である。
【図４（ａ）】本発明の実施例１に係る拡張された測定設定の構成を示す図である。
【図４（ｂ）】本発明の実施例１に係る拡張された測定設定の構成を示す図である。
【図４（ｃ）】本発明の実施例１に係る拡張された測定設定の構成を示す図である。
【図５】本発明の実施例２に係るハンドオーバー方法のフローチャートである。
【図６】本発明の実施例３に係る拡張された測定設定の構成を示す図である。
【図７】本発明の実施例３に係る拡張された他の測定設定の構成を示す図である。
【図８】本発明の実施例に係るサービング基地局の内部構成を示す図である。
【図９】本発明の実施例に係るユーザ端末の内部構成を示す図である。
【図１０】本発明の実施例４に係るハンドオーバー方法のフローチャートである。
【図１１（ａ）】本発明の実施例４に係る拡張された測定設定の構成を示す図である。
【図１１（ｂ）】本発明の実施例４に係る拡張された測定設定の構成を示す図である。
【発明を実施するための形態】
【００２６】
一部の研究者は、ＬＴＥ−Ａマルチキャリアシステムにおいて、サービング基地局におけるプライマリキャリア（ＰＣＣ：Ｐｒｉｍａｒｙ  Ｃｏｍｐｏｎｅｎｔ  Ｃａｒｒｉｅｒ）を基準キャリアとして直接に使用することで、ハンドオーバー測定報告の報告条件とハンドオーバー条件とを設定できる、ということを提案した。現在、基地局のＰＣＣは、２つの方式によって決定することができる。第１の方式は、ＰＣＣを固定的に設定する方式である。第２の方式は、性能が最良となるＣＣを該基地局のＰＣＣとして選択する方式である。例えば、サービング基地局は、２ＧＨｚのキャリアＣＣ１と３．５ＧＨｚのキャリアＣＣ２とを有し、隣接基地局も、２ＧＨｚのキャリアＣＣ３と３．５ＧＨｚのキャリアＣＣ４とを有すると仮定する。２ＧＨｚのキャリアでより良いカバレッジを提供できる、ということを考慮すると、ＰＣＣを固定的に設定する方式を採用する場合、２ＧＨｚのキャリアをＰＣＣとして設定することができる。即ち、サービング基地局におけるＣＣ１をＰＣＣとして設定し、隣接基地局におけるＣＣ３をＰＣＣとして設定する。この時、選択されたトリガーイベントがＥｖｅｎｔ  Ａ３である場合、ハンドオーバー測定報告の報告条件およびハンドオーバー条件は、ｆ（ＣＣ３）＞ｆ（ＣＣ１）＋ＨＯ＿ｍａｒｇｉｎになる。ここで、ｆ（）は、信号強度パラメータの値を代表し、ＨＯ＿ｍａｒｇｉｎは、Ｅｖｅｎｔ  Ａ３のハンドオーバーオフセットであり、一般的に３ｄＢに設定される。説明すべきものとして、本発明において、信号強度パラメータは、ＲＳＲＰ、ＲＳＲＱまたは基地局信号強度を表示できる他のパラメータであってよい。上記のハンドオーバー測定報告の報告条件およびハンドオーバー条件から分かるように、ハンドオーバー測定報告をトリガーする際、およびハンドオーバー判定を行う際に、サービング基地局および隣接基地局におけるＰＣＣ以外の他のＣＣ、即ち、セカンダリキャリア（例えばＣＣ２とＣＣ４）の性能が考慮されない。性能が最良となるＣＣを各基地局のＰＣＣとして選択する方式を採用する場合、サービング基地局は、ＣＣ１とＣＣ２との信号強度パラメータに基づいて、性能が比較的良いＣＣを自局のＰＣＣとして選択する。この時、ハンドオーバー測定報告の報告条件およびハンドオーバー条件は、ｆ（ＣＣ３）＞ｆ（ＣＣ１）＋ＨＯ＿ｍａｒｇｉｎまたはｆ（ＣＣ４）＞ｆ（ＣＣ１）＋ＨＯ＿ｍａｒｇｉｎになる。ここで、ＣＣ１は、サービング基地局における性能が比較的良いＣＣであり、サービング基地局のＰＣＣとされると仮定する。上記のハンドオーバー測定報告の報告条件およびハンドオーバー条件から分かるように、ハンドオーバー測定報告をトリガーする際、およびハンドオーバー判定を行う際に、サービング基地局におけるＰＣＣ以外の他のＣＣ、即ち、セカンダリキャリア（例えばＣＣ２）の性能が考慮されない。
【００２７】
当業者は、サービング基地局におけるＰＣＣを基準キャリアとして使用することで、ハンドオーバー測定報告の報告条件とハンドオーバー条件とを設定する場合、サービング基地局におけるＰＣＣ以外の他のセカンダリキャリアの性能が十分に考慮されるわけではないため、設定されたハンドオーバー測定報告の報告条件およびハンドオーバー条件が合理的でない、ということを理解できる。
【００２８】
また、研究によって、サービング基地局におけるＰＣＣを基準キャリアとして使用することで、ハンドオーバー測定報告の報告条件とハンドオーバー条件とを設定すれば、サービング基地局におけるＰＣＣ（例えばＣＣ１）と他のＣＣ（例えばＣＣ２）との信号強度パラメータ（例えばＲＳＲＰまたはＲＳＲＱ）の差が比較的小さい（例えば２ｄＢの第１の閾値より小さい）場合、ハンドオーバーのタイミングに、サービング基地局の複数のキャリアからユーザに提供できる容量は、依然としてターゲット基地局の複数のキャリアからユーザに提供できる容量より大きく、つまり、ハンドオーバーのタイミングがある程度早まると表す一方、サービング基地局におけるＰＣＣ（例えばＣＣ１）と他のＣＣ（例えばＣＣ２）との信号強度パラメータ（例えばＲＳＲＰまたはＲＳＲＱ）の差が比較的大きい（例えば４ｄＢの第２の閾値より大きい）場合、ハンドオーバーのタイミングに、サービング基地局の複数のキャリアからユーザに提供できる容量は、既にターゲット基地局の複数のキャリアからユーザに提供できる容量よりはるかに小さくなり、つまり、ハンドオーバーのタイミングがある程度遅れると表す、ということを発見することができる。これにより、サービング基地局におけるＰＣＣを基準キャリアとして使用して設定されたハンドオーバー測定報告の報告条件およびハンドオーバー条件は、合理的でないとも表す。説明すべきものとして、本発明の実施例において、サービング基地局におけるＰＣＣと他のＣＣとの信号強度パラメータの差とは、サービング基地局におけるＰＣＣの信号強度パラメータから他のＣＣの信号強度パラメータを減算して得た差を、具体的に指す。
【００２９】
上記の研究結果に基づき、本発明は、更なる適切なハンドオーバーのタイミングを得て、ユーザのスループットを向上させるように、ハンドオーバー方法を提供している。図１に示すように、該方法の実行過程は、主に下記のステップを含む。
【００３０】
ステップ１０１で、サービング基地局は、ハンドオーバー測定報告の報告条件とハンドオーバー条件とを設定して、設定されたハンドオーバー測定報告の報告条件を、測定設定によりユーザ端末へ送信する。
【００３１】
ここで、サービング基地局で設定されたハンドオーバー測定報告の報告条件および／またはハンドオーバー条件は、少なくともサービング基地局の複数のキャリアの性能に相関する。
【００３２】
ステップ１０２で、ユーザ端末は、測定設定に基づいて、サービングセルおよび隣接セルに対して測定し、ハンドオーバー測定報告の報告条件を満たす場合、ハンドオーバー測定報告をサービング基地局へ報告する。
【００３３】
ステップ１０３で、サービング基地局は、受信されたハンドオーバー測定報告および設定されたハンドオーバー条件に基づいて、該ユーザ端末がハンドオーバーを行う必要があるかどうかを判定し、該ユーザ端末がハンドオーバーを行う必要があると判定した場合、ターゲット基地局を選択して、ハンドオーバー実行過程を行う。
【００３４】
上記のように、サービング基地局におけるＰＣＣを基準キャリアとして使用することで、ハンドオーバー測定報告の報告条件とハンドオーバー条件とを設定すれば、サービング基地局におけるＰＣＣと他のＣＣとの信号強度パラメータの差が比較的小さい場合、ハンドオーバーのタイミングを早める。このとき、サービング基地局の複数のキャリアの性能に相関するハンドオーバー測定報告の報告条件および／またはハンドオーバー条件を設定することで、ハンドオーバーのタイミングを適当に遅れさせることができる。一方、サービング基地局におけるＰＣＣと他のＣＣとの信号強度パラメータの差が比較的大きい場合、ハンドオーバーのタイミングが遅れる。このとき、サービング基地局の複数のキャリアの性能に相関するハンドオーバー測定報告の報告条件および／またはハンドオーバー条件を設定することで、ハンドオーバーのタイミングを適当に早めることができる。これにより、より良いハンドオーバー性能が得られる。
【００３５】
上記の目的を実現するために、本発明では、複数の実施例が提供されている。その一部の実施例において、サービング基地局は、サービング基地局におけるＰＣＣと他のＣＣとの信号強度パラメータの差に基づいて、ハンドオーバー測定報告の報告条件およびハンドオーバー条件におけるハンドオーバー閾値を調整できる。これにより、サービング基地局におけるＰＣＣと他のＣＣとの信号強度パラメータの差が比較的小さい場合、ハンドオーバー測定報告の報告条件およびハンドオーバー条件におけるハンドオーバー閾値を増加することで、ハンドオーバーのタイミングを遅れさせる一方、サービング基地局におけるＰＣＣと他のＣＣとの信号強度パラメータの差が比較的大きい場合、ハンドオーバー測定報告の報告条件およびハンドオーバー条件におけるハンドオーバー閾値を低減することで、ハンドオーバーのタイミングを早める。以下、例によって本発明の実施例を詳細に説明する。
【００３６】
（実施例１）
本実施例では、ハンドオーバー方法が提供されている。図２に示すように、該方法の実行過程は、主に下記のステップを含む。
【００３７】
ステップ２０１で、サービング基地局は、自局のＰＣＣと他のＣＣとの信号強度パラメータの差と、ハンドオーバー測定報告の報告条件およびハンドオーバー条件におけるハンドオーバー閾値との対応関係を設定し、ここで、サービング基地局のＰＣＣと他のＣＣとの信号強度パラメータの差が小さければ小さいほど、厳しいハンドオーバー条件におけるハンドオーバー閾値に対応し、サービング基地局のＰＣＣと他のＣＣとの信号強度パラメータの差が大きければ大きいほど、甘いハンドオーバー条件におけるハンドオーバー閾値に対応する。
【００３８】
ステップ２０２で、サービング基地局は、設定された自局のＰＣＣと他のＣＣとの信号強度パラメータの差と、ハンドオーバー測定報告の報告条件におけるハンドオーバー閾値との対応関係を、測定設定によりユーザ端末へ送信する。
【００３９】
ステップ２０３で、ユーザ端末は、測定設定に基づいて、サービングセルに対して測定して、サービング基地局のＰＣＣと他のＣＣとの信号強度パラメータの差を得、前記差に基づいて、ハンドオーバー閾値を決定する。
【００４０】
ステップ２０４で、ユーザ端末は、隣接セルに対して測定し、ハンドオーバー測定報告の報告条件を満たす場合、ハンドオーバー測定報告をサービング基地局へ報告する。
【００４１】
ステップ２０５で、サービング基地局は、受信されたハンドオーバー測定報告および設定されたハンドオーバー条件に基づいて、該ユーザ端末がハンドオーバーを行う必要があるかどうかを判定し、該ユーザ端末がハンドオーバーを行う必要があると判定した場合、ターゲット基地局を選択して、ハンドオーバー実行過程を行う。
【００４２】
具体的に、Ｅｖｅｎｔ  Ａ３がトリガーイベントとして使用される場合、上記のハンドオーバー閾値は、Ｅｖｅｎｔ  Ａ３におけるハンドオーバーオフセットを指す。この場合、サービング基地局は、自局のＰＣＣと他のＣＣとの信号強度パラメータの差と、ハンドオーバー測定報告の報告条件およびハンドオーバー条件におけるハンドオーバーオフセットとの対応関係を設定できる。ここで、サービング基地局のＰＣＣと他のＣＣとの信号強度パラメータの差が小さければ小さいほど、厳しいハンドオーバー条件におけるハンドオーバー閾値に対応し、つまり、対応するハンドオーバーオフセットが大きくなる一方、サービング基地局のＰＣＣと他のＣＣとの信号強度パラメータの差が大きければ大きいほど、甘いハンドオーバー条件におけるハンドオーバー閾値に対応し、つまり、対応するハンドオーバーオフセットが小さくなる。このように、サービング基地局におけるＰＣＣと他のＣＣとの信号強度パラメータの差が比較的小さい場合、比較的大きいハンドオーバーオフセットを採用することにより、ハンドオーバーのタイミングを遅れさせる一方、サービング基地局におけるＰＣＣと他のＣＣとの信号強度パラメータの差が比較的大きい場合、比較的小さいハンドオーバーオフセットを採用することにより、ハンドオーバーのタイミングを早める。例えば、サービング基地局は、下記のように設定してもよい。即ち、サービング基地局におけるＰＣＣと他のＣＣとの信号強度パラメータの差Ｖ＿ｓｅｒｖが第１の閾値ｔｈｒｅｓｈｏｌｄ１以上である場合、その対応するＥｖｅｎｔ  Ａ３のハンドオーバーオフセットが第１のハンドオーバーオフセットＨＯ＿ｍａｒｇｉｎ１であり、サービング基地局におけるＰＣＣと他のＣＣとの信号強度パラメータの差Ｖ＿ｓｅｒｖが第１の閾値ｔｈｒｅｓｈｏｌｄ１より小さくて第２の閾値ｔｈｒｅｓｈｏｌｄ２より大きい場合、その対応するＥｖｅｎｔ  Ａ３のハンドオーバーオフセットが第２のハンドオーバーオフセットＨＯ＿ｍａｒｇｉｎ２であり、サービング基地局におけるＰＣＣと他のＣＣとの信号強度パラメータの差Ｖ＿ｓｅｒｖが第２の閾値ｔｈｒｅｓｈｏｌｄ２以下である場合、その対応するＥｖｅｎｔ  Ａ３のハンドオーバーオフセットが第３のハンドオーバーオフセットＨＯ＿ｍａｒｇｉｎ３であり、ここで、第１の閾値ｔｈｒｅｓｈｏｌｄ１が第２の閾値ｔｈｒｅｓｈｏｌｄ２以上であり、第１のハンドオーバーオフセットＨＯ＿ｍａｒｇｉｎ１が第２のハンドオーバーオフセットＨＯ＿ｍａｒｇｉｎ２より小さく、第２のハンドオーバーオフセットＨＯ＿ｍａｒｇｉｎ２が第３のハンドオーバーオフセットＨＯ＿ｍａｒｇｉｎ３より小さい。この場合、ハンドオーバー測定報告の報告条件およびハンドオーバー条件は、下記の数式によって表すことができる。
（Ｖ＿ｓｅｒｖ＞＝ｔｈｒｅｓｈｏｌｄ１である場合）
ｆ（ＣＣ３）＞ｆ（ＣＣ１）＋ＨＯ＿ｍａｒｇｉｎ１
（ｔｈｒｅｓｈｏｌｄ２＜Ｖ＿ｓｅｒｖ＜ｔｈｒｅｓｈｏｌｄ１である場合）
ｆ（ＣＣ３）＞ｆ（ＣＣ１）＋ＨＯ＿ｍａｒｇｉｎ２
（Ｖ＿ｓｅｒｖ＜＝ｔｈｒｅｓｈｏｌｄ２である場合）
ｆ（ＣＣ３）＞ｆ（ＣＣ１）＋ＨＯ＿ｍａｒｇｉｎ３
ここで、ＣＣ１はサービングセルのＰＣＣを代表し、ＣＣ３は隣接セルのＣＣを代表する。
【００４３】
説明すべきものとして、上記のｔｈｒｅｓｈｏｌｄ１、ｔｈｒｅｓｈｏｌｄ２、ＨＯ＿ｍａｒｇｉｎ１、ＨＯ＿ｍａｒｇｉｎ２およびＨＯ＿ｍａｒｇｉｎ３は、シミュレーションにより好ましいパラメータ値を得ることができる。例えば、ｔｈｒｅｓｈｏｌｄ１が４ｄＢであり、ｔｈｒｅｓｈｏｌｄ２が２ｄＢであり、ＨＯ＿ｍａｒｇｉｎ１が１ｄＢであり、ＨＯ＿ｍａｒｇｉｎ２が３ｄＢであり、ＨＯ＿ｍａｒｇｉｎ３が５ｄＢであるように設定することができる。
【００４４】
また、説明すべきものとして、上記のハンドオーバー測定報告の報告条件およびハンドオーバー条件におけるハンドオーバーオフセットの設定は、一例にすぎない。本発明は、上記の数式に示した不等式に限らない。
【００４５】
上記の実施例から分かるように、ＰＣＣと他のＣＣとの信号強度パラメータの差に基づいて、Ｅｖｅｎｔ  Ａ３のハンドオーバーオフセットの値を調整することで、ハンドオーバーのタイミングを調整することができる。これにより、ＰＣＣに基づくハンドオーバー方法を採用する場合、遅れたハンドオーバーを早めて、早まったハンドオーバーを遅れさせることで、ハンドオーバーのタイミングをさらに適合させ、ユーザのスループットを向上させる。
【００４６】
また、例えば、Ｅｖｅｎｔ  Ａ５がトリガーイベントとして使用される場合、上記のハンドオーバー閾値は、Ｅｖｅｎｔ  Ａ５におけるサービング基地局の信号強度パラメータに相関する閾値および／または隣接基地局の信号強度パラメータに相関する閾値を指す。この場合、サービング基地局は、自局のＰＣＣと他のＣＣとの信号強度パラメータの差と、ハンドオーバー測定報告の報告条件およびハンドオーバー条件における、サービング基地局の信号強度パラメータに相関する閾値および／または隣接基地局の信号強度パラメータに相関する閾値との対応関係を設定でき、ここで、サービング基地局のＰＣＣと他のＣＣとの信号強度パラメータの差が小さければ小さいほど、厳しいハンドオーバー条件におけるハンドオーバー閾値に対応する一方、サービング基地局のＰＣＣと他のＣＣとの信号強度パラメータの差が大きければ大きいほど、甘いハンドオーバー条件におけるハンドオーバー閾値に対応する。これにより、サービング基地局におけるＰＣＣと他のＣＣとの信号強度パラメータの差が比較的小さい場合、設定されたハンドオーバー測定報告の報告条件およびハンドオーバー条件がさらに厳しい一方、サービング基地局におけるＰＣＣと他のＣＣとの信号強度パラメータの差が比較的大きい場合、設定されたハンドオーバー測定報告の報告条件およびハンドオーバー条件がさらに甘い、という目的が達成される。例えば、従来のＥｖｅｎｔ  Ａ５のトリガー条件は、下記の通りである。
ｆ（ＣＣ１）＜ｔｈｒｅ１
ｆ（ＣＣ３）＞ｔｈｒｅ２
【００４７】
ここで、ｆ（）は、信号強度パラメータの値を代表し、ＣＣ１は、サービング基地局のＰＣＣを代表し、ＣＣ３は、隣接基地局のＣＣを代表し、ｔｈｒｅ１およびｔｈｒｅ２は、Ｅｖｅｎｔ  Ａ５に係る、サービング基地局の信号強度パラメータに相関する閾値および隣接基地局の信号強度パラメータに相関する閾値である。本実施例において、サービング基地局におけるＰＣＣと他のＣＣとの信号強度パラメータの差が比較的小さい場合、さらに厳しいハンドオーバー測定報告の報告条件とハンドオーバー条件とを設定するという目的を達成するように、適当にｔｈｒｅ１の値を減少させ、またはｔｈｒｅ２の値を増大させ、またはｔｈｒｅ１の値を減少させるとともにｔｈｒｅ２の値を増大させる一方、サービング基地局におけるＰＣＣと他のＣＣとの信号強度パラメータの差が比較的大きい場合、さらに甘いハンドオーバー測定報告の報告条件とハンドオーバー条件とを設定するという目的を達成するように、適当にｔｈｒｅ１の値を増大させ、またはｔｈｒｅ２の値を減少させ、またはｔｈｒｅ１の値を増大させるとともにｔｈｒｅ２の値を減少させるようにしてもよい。
【００４８】
上記の実施例から分かるように、ＰＣＣと他のＣＣとの信号強度パラメータの差に基づいて、Ｅｖｅｎｔ  Ａ５の閾値の値を調整することで、ハンドオーバーのタイミングを調整できる。これにより、ＰＣＣに基づくハンドオーバー方法を採用する場合、遅れたハンドオーバーを早めて、早まったハンドオーバーを遅れさせ、ハンドオーバーのタイミングをさらに適合させ、ユーザのスループットを向上させる。
【００４９】
説明すべきものとして、本実施例において、サービング基地局は、ＰＣＣ以外に１つより多い他のＣＣを有する場合、本実施例に係る、サービング基地局のＰＣＣと他のＣＣとの信号強度パラメータの差とは、サービング基地局のＰＣＣと全ての他のＣＣとの信号強度パラメータの差の平均値、または、サービング基地局のＰＣＣと全ての他のＣＣとの信号強度の分散を指すことができる。上記のように、ここで、信号強度パラメータの差とは、ＲＳＲＰの差またはＲＳＲＱの差を指すことができる。
【００５０】
以下、本実施例におけるステップ２０２に係る、サービング基地局で設定された、自局のＰＣＣと他のＣＣとの信号強度パラメータの差と、ハンドオーバー測定報告の報告条件におけるハンドオーバー閾値との対応関係が、測定設定によりユーザ端末へ送信される方法について、詳細に説明する。
【００５１】
図３は従来の測定設定の構成を示す。図３に示すように、サービング基地局からユーザ端末へ送信された測定設定には、少なくとも測定番号（ＭｅａｓＩＤ）、測定対象（ＭｅａｓＯｂｅｃｔ）、使用されるトリガーイベント（例えばＥｖｅｎｔ  Ａ３）、ハンドオーバー閾値（例えばＥｖｅｎｔ  Ａ３のハンドオーバーオフセットｏｆｆｓｅｔ）が含まれる。マルチキャリアシステムにおいて、ユーザのサービングセルが必ずしも固定的ではないため、測定設定には、サービングセル（Ｓｅｒｖｉｎｇ  Ｃｅｌｌ）が含まれてもよい（サービングセルは、選択可能な項目であるため、図３に点線枠で代表される）。ユーザ端末は、上記の測定設定を受信した後、測定対象で示されたキャリア周波数に対して測定し、ある隣接セルがトリガーイベントを満たすということを測定した場合、測定番号、サービングセルの信号強度パラメータ、隣接セルの番号、および隣接セルの信号強度パラメータが付けられたハンドオーバー測定報告を、サービング基地局へ報告する。この場合、サービング基地局は、該隣接セルが、測定対象で示されたキャリア周波数でのセルであって、かつ、該隣接セルの信号強度パラメータが、サービングセルの信号強度パラメータと比較して、トリガーイベントを満たす、ということを測定番号から直接に知ることができる。
【００５２】
上記のように、本実施例において、サービング基地局の複数のキャリアの間の信号強度パラメータの差に基づいて、ハンドオーバー閾値を調整する必要がある。従って、上記図３に示した測定設定を拡張する必要がある。これにより、図４（ａ）、（ｂ）および（ｃ）に示した測定設定を得る。図４（ａ）、（ｂ）および（ｃ）に示すように、基地局からユーザ端末へ送信された測定設定には、少なくとも測定番号（ＭｅａｓＩＤ）、測定対象（ＭｅａｓＯｂｊｅｃｔ、例えばＦ１またはＦ２）、信号強度パラメータの差の条件（例えば、Ｖ＿ｓｅｒｖ＞＝ｔｈｒｅｓｈｏｌｄ１、ｔｈｒｅｓｈｏｌｄ２＜Ｖ＿ｓｅｒｖ＜ｔｈｒｅｓｈｏｌｄ１、またはＶ＿ｓｅｒｖ＜＝ｔｈｒｅｓｈｏｌｄ２）、使用されるトリガーイベント（例えば、Ｅｖｅｎｔ  Ａ３またはＥｖｅｎｔ  Ａ５）、ハンドオーバー閾値（例えば、Ｅｖｅｎｔ  Ａ３のハンドオーバーオフセットｏｆｆｓｅｔであるＨＯ＿ｍａｒｇｉｎ１、ＨＯ＿ｍａｒｇｉｎ２、またはＨＯ＿ｍａｒｇｉｎ３、あるいは、Ｅｖｅｎｔ  Ａ５に係る閾値であるｔｈｒｅ１およびｔｈｒｅ２）が含まれる。本実施例において、上記の測定設定には、サービングセル（Ｓｅｒｖｉｎｇ  Ｃｅｌｌ、例えばＣＣ１またはＣＣ２）が含まれてもよい。図４（ａ）、（ｂ）および（ｃ）に示した測定設定によれは、サービング基地局は、下記のような測定設定を行うことができる。即ち、Ｖ＿ｓｅｒｖ＞＝ｔｈｒｅｓｈｏｌｄ１である場合、ハンドオーバー測定報告の報告条件は、ｆ（ＣＣ３）＞ｆ（ＣＣ１）＋ＨＯ＿ｍａｒｇｉｎ１であり、ｔｈｒｅｓｈｏｌｄ２＜Ｖ＿ｓｅｒｖ＜ｔｈｒｅｓｈｏｌｄ１である場合、ハンドオーバー測定報告の報告条件は、ｆ（ＣＣ３）＞ｆ（ＣＣ１）＋ＨＯ＿ｍａｒｇｉｎ２であり、Ｖ＿ｓｅｒｖ＜＝ｔｈｒｅｓｈｏｌｄ２である場合、ハンドオーバー測定報告の報告条件は、ｆ（ＣＣ３）＞ｆ（ＣＣ１）＋ＨＯ＿ｍａｒｇｉｎ３である。
【００５３】
説明すべきものとして、特に、ｔｈｒｅｓｈｏｌｄ２＜Ｖ＿ｓｅｒｖ＜ｔｈｒｅｓｈｏｌｄ１である場合、図３に示した従来の測定設定の構成を直接に使用することで、測定設定を直接に行うこともできる。この場合、ユーザ端末は、サービング基地局におけるＰＣＣと他のＣＣとの信号強度パラメータが、受信された信号強度パラメータの差の条件を満たさない、ということを検出したとき、図３に示した従来の測定設定に基づいて、Ｅｖｅｎｔ  Ａ３のオーバーオフセットを直接に決定する。
【００５４】
（実施例２）
本実施例では、ハンドオーバー方法が提供されている。図５に示すように、該方法の実行過程は、主に下記のステップを含む。
【００５５】
ステップ３０１で、サービング基地局は、自局のＰＣＣと他のＣＣとの信号強度パラメータの差と、ハンドオーバー測定報告の報告条件およびハンドオーバー条件におけるハンドオーバー閾値との対応関係を設定し、ここで、サービング基地局のＰＣＣと他のＣＣとの信号強度パラメータの差が小さければ小さいほど、厳しいハンドオーバー条件におけるハンドオーバー閾値に対応し、サービング基地局のＰＣＣと他のＣＣとの信号強度パラメータの差が大きければ大きいほど、甘いハンドオーバー条件におけるハンドオーバー閾値に対応する。
【００５６】
本ステップの実現について、実施例１におけるステップ２０１を参照すればよい。
【００５７】
ステップ３０２で、サービング基地局は、現在の自局のＰＣＣと他のＣＣとの信号強度パラメータの差に基づいて、ハンドオーバー測定報告の報告条件におけるハンドオーバー閾値を決定して、決定されたハンドオーバー閾値を測定設定によりユーザ端末へ送信する。
【００５８】
本ステップにおいて、サービング基地局は、ユーザ端末から報告された、自局のＰＣＣの信号強度パラメータと他のＣＣの信号強度パラメータとに基づいて、自局のＰＣＣと他のＣＣとの信号強度パラメータの差を得ることができる。また、サービング基地局は、図３に示した従来の測定設定を利用して、決定されたハンドオーバー閾値をユーザ端末へ送信することができる。
【００５９】
ステップ３０３で、ユーザ端末は、測定設定に基づいて、サービングセルおよび隣接セルに対して測定し、ハンドオーバー測定報告の報告条件を満たす場合、ハンドオーバー測定報告をサービング基地局へ報告する。
【００６０】
ステップ３０４で、サービング基地局は、受信されたハンドオーバー測定報告および設定されたハンドオーバー条件に基づいて、該ユーザ端末がハンドオーバーを行う必要があるかどうかを判定し、該ユーザ端末がハンドオーバーを行う必要があると判定した場合、ターゲット基地局を選択して、ハンドオーバー実行過程を行う。
【００６１】
上記の実施例１と２から分かるように、上記のハンドオーバー方法は、サービング基地局の複数のＣＣの性能に応じて、ハンドオーバー測定報告の報告条件およびハンドオーバー条件におけるハンドオーバー閾値を調整することができる。これにより、ハンドオーバーのタイミングを調整し、ユーザのスループットを向上させるという目的を実現することができる。上記の実施例において、比較に最終的に使用されるものは、依然として、サービング基地局におけるシングルのＣＣ、およびターゲット基地局におけるシングルのＣＣである。
【００６２】
（実施例３）
本実施例において、サービング基地局で設定されたハンドオーバー測定報告の報告条件および／またはハンドオーバー条件は、サービング基地局の複数のキャリアの性能に相関するばかりでなく、隣接基地局の複数のキャリアの性能にも相関する。具体的に、本実施例において、サービング基地局で設定されたハンドオーバー測定報告の報告条件および／またはハンドオーバー条件は、サービング基地局の等価容量および隣接基地局の等価容量に相関する。ここで、等価容量の物理的意味は、１つの基地局の少なくとも１つのＣＣが１つのＣＣに等価される場合の該ＣＣのスループットを指す。
【００６３】
１つの基地局の全てのＣＣの帯域幅が同じである場合、該基地局の等価信号対雑音比パラメータで該基地局の等価容量を表すことができる。ここで、等価信号対雑音比パラメータの物理的意味は、１つの基地局の少なくとも１つのＣＣが１つのＣＣに等価される場合の該ＣＣの信号対雑音比を指す。通信路容量（Ｓｈａｎｎｏｎ  ｃａｐａｃｉｔｙ）の定理から分かるように、基地局の等価信号対雑音比と該基地局の少なくとも１つのＣＣの信号対雑音比との間では、下記の数式に示した関係が満たされる。
ＳＮＲ＿ｅＮＢ＝（１＋ＳＮＲ＿ＣＣ１）×（１＋ＳＮＲ＿ＣＣ２）−１
ここで、ＳＮＲ＿ｅＮＢは、基地局の等価信号対雑音比を代表し、ＳＮＲ＿ＣＣ１は、該基地局のキャリアＣＣ１の信号対雑音比を代表し、ＳＮＲ＿ＣＣ２は、該基地局のキャリアＣＣ２の信号対雑音比を代表する。
【００６４】
この場合、サービング基地局は、サービング基地局と隣接基地局との等価信号対雑音比に相関するハンドオーバー測定報告の報告条件とハンドオーバー条件とを設定することができる。例えば、ハンドオーバー測定報告の報告条件とハンドオーバー条件とを、ＳＮＲ＿ＮｅＮＢ＞ＳＮＲ＿ＳｅＮＢ＋ＨＯ＿ｍａｒｇｉｎに設定してもよい。ここで、ＳＮＲ＿ＮｅＮＢは、隣接基地局の等価信号対雑音比を代表し、ＳＮＲ＿ＳｅＮＢは、サービング基地局の等価信号対雑音比を代表し、ＨＯ＿ｍａｒｇｉｎは、Ｅｖｅｎｔ  Ａ３のハンドオーバーオフセットを代表する。該条件は、Ｅｖｅｎｔ  Ａ３のトリガーイベントと類似するので、Ｅｖｅｎｔ  Ａ３−ｊｏｉｎｔトリガーイベントと呼ばれてもよい。また、ハンドオーバー測定報告の報告条件とハンドオーバー条件とを、ＳＮＲ＿ＮｅＮＢ＞ｔｈｒｅ１かつＳＮＲ＿ＳｅＮＢ＜ｔｈｒｅ２に設定してもよい。該条件は、Ｅｖｅｎｔ  Ａ５のトリガーイベントと類似するので、Ｅｖｅｎｔ  Ａ５−ｊｏｉｎｔトリガーイベントと呼ばれてもよい。
【００６５】
説明すべきものとして、ハンドオーバー測定報告の報告条件を、サービング基地局と隣接基地局との等価容量または等価信号対雑音比に相関するように設定する場合、ユーザ端末は、キャリアアグリゲーション可能なＣＣ、即ち、同一の基地局に属するＣＣを知ることができる、ということが必要になる。
【００６６】
この場合、サービング基地局は、図６に示した測定設定を使用して、設定されたハンドオーバー測定報告の報告条件を、測定設定によりユーザ端末へ送信することができる。図６に示すように、基地局からユーザ端末へ送信された測定設定には、少なくとも測定番号（ＭｅａｓＩＤ）、測定対象（ＭｅａｓＯｂｊｅｃｔ、例えば、Ｆ１およびＦ２）、使用されるトリガーイベント（例えば、Ｅｖｅｎｔ  Ａ３−ｊｏｉｎｔまたはＥｖｅｎｔ  Ａ５−ｊｏｉｎｔ）、ハンドオーバー閾値（例えば、Ｅｖｅｎｔ  Ａ３のハンドオーバーオフセットｏｆｆｓｅｔであるＨＯ＿ｍａｒｇｉｎ、または、Ｅｖｅｎｔ  Ａ５の閾値であるｔｈｒｅ１およびｔｈｒｅ２）が含まれる。測定設定には、サービングセル（Ｓｅｒｖｉｎｇ  Ｃｅｌｌ、例えば、ＣＣ１およびＣＣ２）が含まれてもよい。本実施例において、サービング基地局は、Ｅｖｅｎｔ  Ａ３−ｊｏｉｎｔトリガーイベントを使用することで、ハンドオーバー測定報告の報告条件およびハンドオーバー条件がＳＮＲ＿ＮｅＮＢ＞ＳＮＲ＿ＳｅＮＢ＋ＨＯ＿ｍａｒｇｉｎであることを表し、Ｅｖｅｎｔ  Ａ５−ｊｏｉｎｔトリガーイベントを使用することで、ハンドオーバー測定報告の報告条件およびハンドオーバー条件がＳＮＲ＿ＮｅＮＢ＞ｔｈｒｅ１かつＳＮＲ＿ＳｅＮＢ＜ｔｈｒｅ２であることを表す。図６に示した測定設定に基づいて、ユーザ端末は、サービング基地局と隣接基地局との等価信号対雑音比をそれぞれ計算して、ハンドオーバー測定報告の報告条件（例えば、Ｅｖｅｎｔ  Ａ３−ｊｏｉｎｔまたはＥｖｅｎｔ  Ａ５−ｊｏｉｎｔのトリガーイベント）を満たす場合、測定番号、サービングセルの信号強度パラメータ、隣接セルの番号、および隣接セルの信号強度パラメータを報告する。
【００６７】
この場合、サービング基地局は、ユーザ端末から報告された測定番号、サービングセルの信号強度パラメータ、隣接セルの番号、および隣接セルの信号強度パラメータに基づいて、サービング基地局と隣接基地局との等価信号対雑音比を計算して、ハンドオーバー条件であるＳＮＲ＿ＮｅＮＢ＞ＳＮＲ＿ＳｅＮＢ＋ＨＯ＿ｍａｒｇｉｎ、または、ＳＮＲ＿ＮｅＮＢ＞ｔｈｒｅ１かつＳＮＲ＿ＳｅＮＢ＜ｔｈｒｅ２に基づいて、ユーザ端末がハンドオーバーを行う必要があるかどうか、を判定する。
【００６８】
本実施例において、サービング基地局は、下記の方法によって、同一の基地局に属するＣＣをユーザ端末に知らせることができる。方法１として、サービング基地局は、隣接基地局のＣＣの情報を放送する。方法２として、サービング基地局は、専用シグナリングで、その隣接基地局のＣＣの情報をユーザ端末に通知する。方法３として、隣接基地局は、自局のＣＣの情報を放送し、ユーザ端末は、隣接基地局に対して測定するとともに、各隣接基地局から放送されたＣＣの情報を取得する。方法４として、同一の基地局でのＣＣの物理層番号が同じになるように設定し、ユーザ端末は、ＣＣの物理層番号から、同一の基地局に属するＣＣを知る。
【００６９】
しかしながら、ユーザ端末は、キャリアアグリゲーション可能なＣＣを知ることができない場合もある。そのため、ユーザ端末は、各隣接セルの等価容量または等価信号対雑音比を計算することができない。この場合、サービング基地局で設定されたハンドオーバー測定報告の報告条件は、サービング基地局と隣接基地局との等価容量または等価信号対雑音比に相関することができない。しかしながら、サービング基地局は、同一の隣接基地局に属するＣＣを知ることができる。そのため、サービング基地局は、ユーザ端末から報告された、自局の各ＣＣの信号強度パラメータおよび隣接基地局の各ＣＣの信号強度パラメータに基づいて、自局と隣接基地局との等価容量または等価信号対雑音比を計算することができる。この場合、サービング基地局で設定されるハンドオーバー測定報告の報告条件は、従来のトリガーイベントであってよいが、サービング基地局は、自局が等価信号対雑音比の計算を行うために、ユーザ端末に対し、ハンドオーバー測定報告には、ハンドオーバー測定報告をトリガーするＣＣの信号強度パラメータを報告するだけでなく、各測定対象における信号強度パラメータが最良となるＮ個のＣＣの信号強度パラメータも同時に報告するよう指示する必要がある。ここで、Ｎは、サービング基地局で設定された、１より大きい自然数である。本実施例において、拡張されたＥｖｅｎｔ  Ａ３−ＰＣＣトリガーイベントを使用することで、ハンドオーバー測定報告の報告条件は、Ｅｖｅｎｔ  Ａ３イベントがトリガーされ、かつ、ユーザ端末から各測定対象における信号強度パラメータが最良となるＮ個のＣＣの信号強度パラメータを報告する必要があることである、ということを表すことができる。また、拡張されたＥｖｅｎｔ  Ａ５−ＰＣＣトリガーイベントを使用することで、ハンドオーバー測定報告の報告条件は、Ｅｖｅｎｔ  Ａ５イベントがトリガーされ、かつ、ユーザ端末から各測定対象における信号強度パラメータが最良となるＮ個のＣＣの信号強度パラメータを報告する必要があることである、ということを表すことができる。この場合、図７に示すように、サービング基地局からユーザ端末へ送信された測定設定の構成には、少なくとも測定番号（ＭｅａｓＩＤ）、測定対象（ＭｅａｓＯｂｊｅｃｔ、例えば、Ｆ１およびＦ２）、使用されるトリガーイベント（例えば、Ｅｖｅｎｔ  Ａ３−ＰＣＣまたはＥｖｅｎｔ  Ａ５−ＰＣＣ）、ハンドオーバー閾値（例えば、Ｅｖｅｎｔ  Ａ３のハンドオーバーオフセットであるＨＯ＿ｍａｒｇｉｎ、または、Ｅｖｅｎｔ  Ａ５の閾値であるｔｈｒｅ１およびｔｈｒｅ２）が含まれる。上記の測定設定には、さらにサービングセル（Ｓｅｒｖｉｎｇ  Ｃｅｌｌ、例えば、ＣＣ１またはＣＣ２）が含まれてもよい。
【００７０】
サービング基地局は、ハンドオーバー測定報告を受信した後、ユーザ端末から報告された情報に基づいて、自局および各隣接基地局の等価信号対雑音比を計算し、次に、サービング基地局および各隣接基地局の等価信号対雑音比に基づいて、ハンドオーバー判定を行うことができる。例えば、設定されたハンドオーバー条件であるＳＮＲ＿ＮｅＮＢ＞ＳＮＲ＿ＳｅＮＢ＋ＨＯ＿ｍａｒｇｉｎ、または、ＳＮＲ＿ＮｅＮＢ＞ｔｈｒｅ１かつＳＮＲ＿ＳｅＮＢ＜ｔｈｒｅ２に基づいて、ユーザ端末がハンドオーバーを行う必要があるかどうかを、判定することができる。
【００７１】
上記の実施例から分かるように、上記のハンドオーバー過程で設定されたハンドオーバー条件とハンドオーバー測定報告の報告条件とは、サービング基地局および隣接基地局における少なくとも１つのＣＣからユーザに提供できるスループットの和に相関する。従って、セル端のスループットを向上させ、ユーザのサービス品質を向上させることができる。
【００７２】
（実施例４）
上記の実施例の方法を組み合わせることにより、本実施例では、ハンドオーバー方法が提供されている。本実施例においても、サービング基地局で設定されたハンドオーバー測定報告の報告条件および／またはハンドオーバー条件は、サービング基地局の等価容量およびターゲット基地局の等価容量に相関する。図１０に示すように、該方法の実行過程は、主に下記のステップを含む。
【００７３】
ステップ４０１で、サービング基地局は、自局の等価容量とターゲット基地局の等価容量との差と、ハンドオーバー測定報告の報告条件およびハンドオーバー条件におけるハンドオーバー閾値との対応関係を設定し、ここで、サービング基地局の等価容量とターゲット基地局の等価容量との差が大きければ大きいほど、厳しいハンドオーバー条件におけるハンドオーバー閾値に対応し、サービング基地局の等価容量とターゲット基地局の等価容量との差が小さければ小さいほど、甘いハンドオーバー条件におけるハンドオーバー閾値に対応する。
【００７４】
ステップ４０２で、サービング基地局は、設定された自局の等価容量とターゲット基地局の等価容量との差と、ハンドオーバー測定報告の報告条件におけるハンドオーバー閾値との対応関係を、測定設定によりユーザ端末へ送信する。
【００７５】
ステップ４０３で、ユーザ端末は、測定設定に基づいて、サービングセルに対して測定して、サービング基地局の等価容量とターゲット基地局の等価容量との差を得、前記差に基づいて、ハンドオーバー閾値を決定する。
【００７６】
ステップ４０４で、ユーザ端末は、隣接セルに対して測定し、ハンドオーバー測定報告の報告条件を満たす場合、ハンドオーバー測定報告をサービング基地局へ報告する。
【００７７】
ステップ４０５で、サービング基地局は、受信されたハンドオーバー測定報告および設定されたハンドオーバー条件に基づいて、該ユーザ端末がハンドオーバーを行う必要があるかどうかを判定し、該ユーザ端末がハンドオーバーを行う必要があると判定した場合、ターゲット基地局を選択して、ハンドオーバー実行過程を行う。
【００７８】
説明すべきものとして、本発明の実施例において、サービング基地局の等価容量とターゲット基地局の等価容量との差とは、サービング基地局の等価容量からターゲット基地局の等価容量を減算して得た差を、具体的に指す。
【００７９】
具体的に、Ｅｖｅｎｔ  Ａ３がトリガーイベントとして使用される場合、上記のハンドオーバー閾値は、Ｅｖｅｎｔ  Ａ３におけるハンドオーバーオフセットである。この場合、サービング基地局は、自局の等価容量とターゲット基地局の等価容量との差と、ハンドオーバー測定報告の報告条件およびハンドオーバー条件におけるハンドオーバーオフセットとの対応関係を設定できる。ここで、サービング基地局の等価容量とターゲット基地局の等価容量との差が大きければ大きいほど、対応するハンドオーバーオフセットが大きくなる一方、サービング基地局の等価容量とターゲット基地局の等価容量との差が小さければ小さいほど、対応するハンドオーバーオフセットが小さくなる。このように、サービング基地局の等価容量とターゲット基地局の等価容量との差が比較的大きい場合、比較的大きいハンドオーバーオフセットを採用することにより、ハンドオーバーのタイミングを遅れさせる一方、サービング基地局の等価容量とターゲット基地局の等価容量との差が比較的小さい場合、比較的小さいハンドオーバーオフセットを採用することにより、ハンドオーバーのタイミングを早める。例えば、サービング基地局は、下記のように設定してもよい。即ち、サービング基地局の等価容量とターゲット基地局の等価容量との差Ｖが予め設定された閾値ｔｈｒｅｓｈｏｌｄ（例えば、０ｄＢ）以上である場合、その対応するＥｖｅｎｔ  Ａ３のハンドオーバーオフセットが第１のハンドオーバーオフセットＨＯ＿ｍａｒｇｉｎ１であるが、サービング基地局の等価容量とターゲット基地局の等価容量との差Ｖが該閾値ｔｈｒｅｓｈｏｌｄより小さい場合、その対応するＥｖｅｎｔ  Ａ３のハンドオーバーオフセットが第２のハンドオーバーオフセットＨＯ＿ｍａｒｇｉｎ２であり、ここで、第１のハンドオーバーオフセットＨＯ＿ｍａｒｇｉｎ１が、第２のハンドオーバーオフセットＨＯ＿ｍａｒｇｉｎ２より大きい。
【００８０】
また、例えば、Ｅｖｅｎｔ  Ａ５がトリガーイベントとして使用される場合、上記のハンドオーバー閾値は、Ｅｖｅｎｔ  Ａ５におけるサービング基地局の信号強度パラメータに相関する閾値ｔｈｒｅ１および／または隣接基地局の信号強度パラメータに相関する閾値ｔｈｒｅ２である。この場合、サービング基地局は、サービング基地局の等価容量とターゲット基地局の等価容量の差と、ハンドオーバー測定報告の報告条件およびハンドオーバー条件における、サービング基地局の信号強度パラメータに相関する閾値および／または隣接基地局の信号強度パラメータに相関する閾値との対応関係を設定する際に、サービング基地局の等価容量とターゲット基地局の等価容量との差が比較的大きい場合、さらに厳しいハンドオーバー測定報告の報告条件およびハンドオーバー条件を設定するという目的を達成するために、適当にｔｈｒｅ１の値を減少させ、またはｔｈｒｅ２の値を増大させ、またはｔｈｒｅ１の値を減少させるとともにｔｈｒｅ２の値を増大させる一方、サービング基地局の等価容量とターゲット基地局の等価容量との差が比較的小さい場合、さらに甘いハンドオーバー測定報告の報告条件およびハンドオーバー条件を設定するという目的を達成するために、適当にｔｈｒｅ１の値を増大させ、またはｔｈｒｅ２の値を減少させ、またはｔｈｒｅ１の値を増大させるとともにｔｈｒｅ２の値を減少させるようにしてもよい。
【００８１】
上記の実施例から分かるように、サービング基地局の等価容量とターゲット基地局の等価容量との差に基づいて、Ｅｖｅｎｔ  Ａ３またはＥｖｅｎｔ  Ａ５の閾値の値を調整することで、ハンドオーバーのタイミングを調整できる。これにより、遅れたハンドオーバーを早めて、早まったハンドオーバーを遅れさせ、ハンドオーバーのタイミングをさらに適合させ、ユーザのスループットを向上させる。
【００８２】
本実施例において、ステップ４０２で使用される測定設定は、図１１（ａ）と（ｂ）に示すようにしてよい。具体的に、本実施例において、基地局からユーザ端末へ送信された測定設定には、少なくとも測定番号（ＭｅａｓＩＤ）、測定対象（ＭｅａｓＯｂｊｅｃｔ、例えば、Ｆ１およびＦ２）、等価容量の差の条件（例えば、Ｖ＞＝ｔｈｒｅｓｈｏｌｄまたはＶ＜ｔｈｒｅｓｈｏｌｄ）、使用されるトリガーイベント（例えば、Ｅｖｅｎｔ  Ａ３−ｊｏｉｎｔまたはＥｖｅｎｔ  Ａ５−ｊｏｉｎｔ）、ハンドオーバー閾値（例えば、ＨＯ＿ｍａｒｇｉｎ１またはＨＯ＿ｍａｒｇｉｎ２）が含まれる。本実施例において、上記測定設定には、サービングセル（Ｓｅｒｖｉｎｇ  Ｃｅｌｌ、例えば、ＣＣ１および／またはＣＣ２）が含まれてもよい。
【００８３】
同様に、上記方法では、ユーザ端末は、キャリアアグリゲーション可能なＣＣ、即ち、同一の基地局に属するＣＣを知ることができる、ということが要求される。上記の実施例３のように、ユーザ端末は、キャリアアグリゲーション可能なＣＣを知ることができない場合、サービング基地局で設定されたオーバー測定報告の報告条件は、サービング基地局とターゲット基地局との等価容量または等価信号対雑音比に相関することができない。この場合、サービング基地局は、ユーザ端末から報告された、自局の各ＣＣの信号強度パラメータおよび隣接基地局の各ＣＣの信号強度パラメータに基づいて、自局と隣接基地局との等価容量または等価信号対雑音比を計算することができる。この場合、サービング基地局で設定されるハンドオーバー測定報告の報告条件は、従来のトリガーイベントであってよいが、サービング基地局は、自局が等価信号対雑音比の計算を行うために、ユーザ端末に対し、ハンドオーバー測定報告には、ハンドオーバー測定報告をトリガーするＣＣの信号強度パラメータを報告するだけでなく、各測定対象における信号強度パラメータが最良となるＮ個のＣＣの信号強度パラメータも同時に報告するよう指示する必要がある。ここで、Ｎは、サービング基地局で設定された、１より大きい自然数である。この場合、サービング基地局からユーザ端末へ送信された測定設定の構成は、図７に示す通りである。ここで、拡張されたＥｖｅｎｔ  Ａ３−ＰＣＣトリガーイベント、または拡張されたＥｖｅｎｔ  Ａ５−ＰＣＣトリガーイベントを、トリガーイベントとして使用することができる。サービング基地局は、ハンドオーバー測定報告を受信した後、ユーザ端末から報告された、各測定対象における信号強度パラメータが最良となるＮ個のＣＣの信号強度パラメータに基づいて、自局の等価容量と各隣接基地局の等価容量との差を計算し、次に、前記差、および、自局の等価容量とターゲット基地局の等価容量との差と、ハンドオーバー条件におけるハンドオーバー閾値との対応関係に基づいて、ハンドオーバー条件におけるハンドオーバー閾値を決定して、ハンドオーバー判定を行う。
【００８４】
上記のように、本実施例において、１つの基地局の全てのＣＣの帯域幅が同じである場合、該基地局の等価信号対雑音比で該基地局の等価容量を表すことができる。１つの基地局の各ＣＣの帯域幅が異なる場合、各ＣＣの帯域幅を該ＣＣの１つの重み付け値として、各ＣＣの信号対雑音比を重み付け加算したもので該基地局の等価容量を表すことができる。
【００８５】
以下、具体的な例によって、上記のハンドオーバー方法を実現するサービング基地局およびユーザ端末の内部構成を説明する。
【００８６】
図８に示すように、上記のハンドオーバー方法を実現するサービング基地局の内部構成は、主に、ハンドオーバー測定報告の報告条件とハンドオーバー条件とを設定する測定設定モジュールと、設定されたハンドオーバー測定報告の報告条件を、測定設定によりユーザ端末へ送信する送信モジュールと、ユーザ端末からのハンドオーバー測定報告を受信する受信モジュールと、受信されたハンドオーバー測定報告および設定されたハンドオーバー条件に基づいて、該ユーザ端末がハンドオーバーを行う必要があるかどうかを判定し、該ユーザ端末がハンドオーバーを行う必要があると判定した場合、ターゲット基地局を選択するハンドオーバー判定モジュールと、を含み、ここで、設定されたハンドオーバー測定報告の報告条件および／またはハンドオーバー条件は、少なくともサービング基地局の複数のキャリアの性能に相関する。
【００８７】
上記の実施例１に対応して、上記の測定設定モジュールは、サービング基地局のＰＣＣと他のＣＣとの信号強度の差と、ハンドオーバー閾値との対応関係を設定するハンドオーバー閾値設定サブモジュールと、サービング基地局のＰＣＣと他のＣＣとの信号強度の差と、ハンドオーバー閾値との間の対応関係に基づいて、ハンドオーバー測定報告の報告条件とハンドオーバー条件とを設定する測定設定サブモジュールと、を含んでよく、ここで、サービング基地局のＰＣＣと他のＣＣとの信号強度の差が小さければ小さいほど、厳しいハンドオーバー条件におけるハンドオーバー閾値に対応し、サービング基地局のＰＣＣと他のＣＣとの信号強度の差が大きければ大きいほど、甘いハンドオーバー条件におけるハンドオーバー閾値に対応する。
【００８８】
上記の実施例２に対応して、上記の測定設定モジュールは、サービング基地局のＰＣＣと他のＣＣとの信号強度の差と、ハンドオーバー閾値との対応関係を設定するハンドオーバー閾値設定サブモジュールと、現在の自局のＰＣＣと他のＣＣとの信号強度の差に基づいて、ハンドオーバー測定報告の報告条件におけるハンドオーバー閾値を決定するハンドオーバー閾値決定サブモジュールと、決定されたハンドオーバー閾値に基づいて、ハンドオーバー測定報告の報告条件を設定する測定設定サブモジュールと、を含んでよく、ここで、サービング基地局のＰＣＣと他のＣＣとの信号強度の差が小さければ小さいほど、厳しいハンドオーバー条件におけるハンドオーバー閾値に対応し、サービング基地局のＰＣＣと他のＣＣとの信号強度の差が大きければ大きいほど、甘いハンドオーバー条件におけるハンドオーバー閾値に対応する。
【００８９】
上記の実施例３に対応して、上記の測定設定モジュールは、サービング基地局と隣接基地局との等価容量または等価信号対雑音比に相関するハンドオーバー条件を設定するハンドオーバー条件設定サブモジュールと、ユーザ端末がキャリアアグリゲーション可能なＣＣを知ることができる場合、サービング基地局と隣接基地局との等価容量または等価信号対雑音比に相関するハンドオーバー測定報告の報告条件を設定する一方、ユーザ端末がキャリアアグリゲーション可能なＣＣを知ることができない場合、従来のトリガーイベントをハンドオーバー測定報告の報告条件として設定して、ユーザ端末に対し、報告されるハンドオーバー測定報告には、各測定対象における信号強度パラメータが最良となるＮ個のＣＣの信号強度パラメータを付けて報告するよう指示する測定設定サブモジュールと、を含んでよい。
【００９０】
この場合、ハンドオーバー判定モジュールは、まず、受信されたハンドオーバー測定報告に基づいて、自局と隣接基地局との等価容量または等価信号対雑音比を計算し、次に、設定されたハンドオーバー条件に基づいて、該ユーザ端末がハンドオーバーを行う必要があるかどうかを判定する。
【００９１】
上記の実施例４に対応して、上記の測定設定モジュールは、サービング基地局の等価容量とターゲット基地局の等価容量との差と、ハンドオーバー閾値との対応関係を設定するハンドオーバー閾値設定サブモジュールと、ユーザ端末がキャリアアグリゲーション可能なＣＣを知ることができる場合、サービング基地局の等価容量と隣接基地局の等価容量との差と、ハンドオーバー閾値との対応関係に基づいて、ハンドオーバー測定報告の報告条件とハンドオーバー条件とを設定する一方、ユーザ端末がキャリアアグリゲーション可能なＣＣを知ることができない場合、従来のトリガーイベントをハンドオーバー測定報告の報告条件として設定して、ユーザ端末に対し、報告されるハンドオーバー測定報告には、各測定対象における信号強度パラメータが最良となるＮ個のＣＣの信号強度パラメータを付けて報告するよう指示する測定設定サブモジュールと、を含んでよく、ここで、サービング基地局の等価容量とターゲット基地局の等価容量との差が大きければ大きいほど、厳しいハンドオーバー条件におけるハンドオーバー閾値に対応し、サービング基地局の等価容量とターゲット基地局の等価容量との差が小さければ小さいほど、甘いハンドオーバー条件におけるハンドオーバー閾値に対応し、この場合、ハンドオーバー判定モジュールは、まず、受信されたハンドオーバー測定報告に基づいて、自局と隣接基地局との等価容量または等価信号対雑音比を計算し、ハンドオーバー閾値を決定し、次に、設定されたハンドオーバー条件に基づいて、該ユーザ端末がハンドオーバーを行う必要があるかどうかを判定する。
【００９２】
図９に示すように、上記のハンドオーバー方法を実現するユーザ端末の内部構成は、主に、サービング基地局から送信された、少なくともサービング基地局の複数のキャリアの性能に相関する測定設定を受信して、サービング基地局と隣接基地局との信号強度パラメータを検出する受信モジュールと、サービング基地局から送信された測定設定に基づいて、ハンドオーバー測定報告の報告条件を決定する報告条件決定モジュールと、受信モジュールで検出されたサービング基地局と隣接基地局との信号強度パラメータに基づいて、ハンドオーバー測定報告の報告条件を満たす隣接セルがあるかどうかを判定する測定トリガー判定モジュールと、ハンドオーバー測定報告の報告条件を満たす隣接セルがある場合、ハンドオーバー測定報告をサービング基地局へ報告する送信モジュールと、を含む。
【００９３】
上記の実施例１に対応して、上記の報告条件決定モジュールは、サービング基地局から送信された、サービング基地局自身のＰＣＣと他のＣＣとの信号強度の差と、ハンドオーバー測定報告の報告条件およびハンドオーバー条件におけるハンドオーバー閾値との対応関係を決定して、現在のサービング基地局自身のＰＣＣと他のＣＣとの信号強度の差に基づいて、ハンドオーバー閾値を決定する。
【００９４】
上記の実施例２に対応して、上記の報告条件決定モジュールは、サービング基地局から送信された、ハンドオーバー測定報告の報告条件におけるハンドオーバー閾値を決定する。
【００９５】
上記の実施例３または４に対応して、ユーザ端末がキャリアアグリゲーション可能なＣＣを知ることができる場合、上記の報告条件決定モジュールは、サービング基地局から送信された、サービング基地局と隣接基地局との等価容量または等価信号対雑音比に相関するハンドオーバー測定報告の報告条件を決定する。この場合、測定トリガー判定モジュールは、検出されたサービング基地局と隣接基地局との信号強度パラメータに基づいて、サービング基地局と隣接基地局との等価容量または等価信号対雑音比を計算して、ハンドオーバー測定報告の報告条件を満たす隣接セルがあるかどうかを判定する。
【００９６】
上記の実施例３または４に対応して、ユーザ端末がキャリアアグリゲーション可能なＣＣを知ることができない場合、上記の報告条件決定モジュールは、ハンドオーバー測定報告の報告条件を決定して、ハンドオーバー測定報告を報告するとともに、各測定対象における信号強度パラメータが最良となるＮ個のＣＣの信号強度パラメータを報告するように決定する。この場合、送信モジュールは、サービング基地局へ、ハンドオーバー測定報告を報告するとともに、各測定対象における信号強度パラメータが最良となるＮ個のＣＣの信号強度パラメータを報告する。
【００９７】
説明すべきものとして、基地局の複数のＣＣの機能が異なる場合、例えば、サービング基地局のＣＣ１がＰＣＣであり、ＣＣ２がＰＣＣではない場合、ユーザは、最良のＰＣＣが選択されることを図る可能性がある。それでは、本実施例において、等価信号対雑音比または等価容量を計算する際に、異なるＣＣに対して、異なる重み付け値を設定することができる。例えば、ＣＣ１がＰＣＣであり、ＣＣ２がＰＣＣではない場合、ＣＣ１に対して比較的大きい重み付け値を設定するが、ＣＣ２に対して比較的小さい重み付け値を設定するようにしてもよい。また、異なるＣＣの帯域幅が異なる場合、さらに、各ＣＣの帯域幅を該ＣＣの１つの重み付け値としてもよい。
【００９８】
また、異なる基地局のＣＣの数が異なる場合、例えば、サービング基地局はＣＣ１およびＣＣ２を有し、ターゲット基地局はＣＣ３、ＣＣ４およびＣＣ５を有し、かつ、ユーザは２つのみのＣＣのアグリゲーションをサポートできる場合、ターゲット基地局において、最良の２つのＣＣを選択して、等価容量または等価信号対雑音比を計算することができる。
【００９９】
また、説明すべきものとして、上記の実施例１〜４に係るハンドオーバー方法は、下記のシーンにも適用される。即ち、各基地局ごとに少なくとも２つの周波数帯域（周波数帯域１および周波数帯域２）を有するが、周波数帯域１が複数のＣＣを有し、周波数帯域２も複数のＣＣを有し、かつ、周波数帯域１と周波数帯域２とのアンテナの方向が異なる。同じ周波数帯域での複数のＣＣの信号強度は相関性があるため、本発明では、基地局の少なくとも２つの周波数帯域の各周波数帯域から、それぞれ１つのＣＣを選択して前記複数のキャリアとする、ことをさらに含む。例えば、周波数帯域１での１つのＣＣと、周波数帯域２での１つのＣＣとを選択して、上記のＣＣ１およびＣＣ２とすることができる。
【０１００】
上記の実施例から分かるように、本発明は、マルチキャリアシステムにおける、接続状態にある移動ユーザに対して、サービング基地局のＰＣＣと他のＣＣとの信号強度パラメータの差に基づいて、ハンドオーバー測定報告のトリガーとハンドオーバー判定とのパラメータを調整し、あるいは、サービング基地局とターゲット基地局との等価容量または等価信号対雑音比に基づいて、ハンドオーバー測定報告のトリガーとハンドオーバー判定とのパラメータを調整することにより、ユーザに更なる適切なタイミングでハンドオーバーを実行させ、ユーザのスループットを向上させる。
【０１０１】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
2011254466.tif 000003
【図２】
2011254466.tif 000004
【図３】
2011254466.tif 000005
【図４（ａ）】
2011254466.tif 000006
【図４（ｂ）】
2011254466.tif 000007
【図４（ｃ）】
2011254466.tif 000008
【図５】
2011254466.tif 000009
【図６】
2011254466.tif 000010
【図７】
2011254466.tif 000011
【図８】
2011254466.tif 000012
【図９】
2011254466.tif 000013
【図１０】
2011254466.tif 000014
【図１１（ａ）】
2011254466.tif 000015
【図１１（ｂ）】
2011254466.tif 000016